(57)【要約】【課題】  放送受信装置において、スイッチング電源が発生するノイズによってオートチューニングの誤検出が起きる。【解決手段】  放送受信装置において、放送を受信する受信手段と、放送受信装置各部に電力を供給するスイッチング電源と、受信手段が受信した放送の周波数を検出する周波数検出手段と、スイッチング電源のスイッチング周波数を変更するスイッチング周波数変更手段と、周波数検出手段が受信した放送の周波数を検出するとき一つの受信周波数の検出対象とする受信信号の時間長より短い時間間隔でスイッチング周波数変更手段にスイッチング周波数を変更させる制御を行う制御手段とを備える。【選択図】      図１
2005217772.tif 000002
【特許請求の範囲】
【請求項１】
放送を受信する受信手段と、放送受信装置各部に電力を供給するスイッチング電源と、前記受信手段が受信した放送の周波数を検出する周波数検出手段と、前記スイッチング電源のスイッチング周波数を変更するスイッチング周波数変更手段と、前記周波数検出手段が受信した放送の周波数を検出するとき一つの受信周波数の検出対象とする受信信号の時間長より短い時間間隔で前記スイッチング周波数変更手段にスイッチング周波数を変更させる制御を行う制御手段とを備えることを特徴とする放送受信装置。
【発明の詳細な説明】
【技術分野】
【０００１】
本発明は、ラジオ放送等を受信する放送受信装置に関する。
【背景技術】
【０００２】
ラジオ放送等の放送を受信する場合、受信周波数を低い周波数から高い周波数へ順次変化させて、受信可能な放送を自動的に検出するオートチューニングと呼ばれる機能を備える放送受信装置がある。オートチューニングによって受信する放送は、放送受信装置において、受信した放送の電圧レベルが予め定めた電圧レベル以上であることによって判別される。オートチューニングの動作は、予め定めた電圧レベル以上の放送を検出すると停止し、当該周波数の放送の受信を行う。再度、オートチューニングの開始操作を行うと、放送受信装置は、当該周波数から高い周波数へ順次変化させて、次の受信可能な放送を検出する動作を行う。
【０００３】
放送受信装置は、ラジオ放送等の放送を受信する場合、アンテナによって受信された無線周波数(Radio Frequency、以下、ＲＦという。)信号を中間周波数(Intermediate Frequency、以下、ＩＦという。)信号に変換して検波する。例えば、日本国内のラジオ放送において、ＡＭ(Amplitude Modulation)放送であればＩＦ＝450kHzが用いられ、ＦＭ(Frequency Modulation)放送であればＩＦ＝10.7MHzが用いられる。また、オートチューニングを行う場合、外部からのノイズの影響を防止するために、受信した放送の電圧レベルが予め定めた電圧レベル以上であることを検出した後、ＩＦを検出し、検出したＩＦとＩＦの基準値(基準値は、例えば、ＡＭ放送であれば450kHz、ＦＭ放送であれば10.7MHz）との差が予め定めた誤差範囲内にあるとき、ＲＦ信号の周波数を放送を受信する周波数として判別する放送受信装置もあった。
【０００４】
放送受信装置を動作させる電力を供給するためのスイッチング電源を備える放送受信装置において、オートチューニングを行って受信可能な放送を検出する場合、スイッチング電源のスイッチング動作によって発生するノイズが受信可能な放送の検出に影響を与えて、放送がない周波数であるにも拘らず予め定めた電圧レベル以上の放送であるとして誤って検出することがあった。即ち、スイッチング電源のスイッチング動作の周波数(以下、スイッチング周波数という。)の基本波成分又は高調波成分を有するノイズを、アンテナ、検波・復調回路が受信し、放送がない周波数であるにも拘らず、オートチューニング動作を停止して雑音を出力することがあった。受信信号電圧レベルを検出した後にＩＦを検出して放送を受信する周波数を判別する機能を備えた放送受信装置であっても、スイッチング周波数とＩＦが一致すれば、誤検出してしまっていた。
【０００５】
このようなオートチューニングの誤検出を防止するため、複数のスイッチング周波数を選択可能なスイッチング電源を備え、受信可能な放送の検出に影響を与えないスイッチング周波数に切り換える手段を備える放送受信装置があった（特許文献１参照）。
【０００６】
【特許文献１】特開２０００−１６５２０５号公報
【発明の開示】
【発明が解決しようとする課題】
【０００７】
特許文献１に記載された放送受信装置は、受信可能な放送の検出に影響を与えないスイッチング周波数を判別して切り換える制御を行う必要があった。スイッチング電源のスイッチング周波数は、電源電圧、負荷電流、温度等の変動により変化するため、受信可能な放送の検出に影響を与えないスイッチング周波数を選択した場合であっても、スイッチング周波数が変化して、受信可能な放送の検出に影響を与える虞があった。
【０００８】
本発明の目的は、受信可能な放送の検出に影響を与えないスイッチング周波数の判別を行うことなく、また、電源電圧、負荷電流、温度等の変動によるスイッチング周波数の変化があったとしても、スイッチング電源のノイズの影響によるオートチューニングの誤検出を防止することができる放送受信装置を提供することにある。
【課題を解決するための手段】
【０００９】
本発明の請求項１に記載の放送受信装置は、放送を受信する受信手段と、放送受信装置各部に電力を供給するスイッチング電源と、前記受信手段が受信した放送の周波数を検出する周波数検出手段と、前記スイッチング電源のスイッチング周波数を変更するスイッチング周波数変更手段と、前記周波数検出手段が受信した放送の周波数を検出するとき一つの受信周波数の検出対象とする受信信号の時間長より短い時間間隔で前記スイッチング周波数変更手段にスイッチング周波数を変更させる制御を行う制御手段とを備えるものである。
【発明の効果】
【００１０】
本発明の放送受信装置によれば、オートチューニング動作の開始後、オートチューニング動作を終了する前にスイッチング電源のスイッチング周波数の基本波または高調波によってオートチューニングを停止する動作を防止することができる。
【発明を実施するための最良の形態】
【００１１】
図１は、本発明の放送受信装置の一実施例の構成を示すブロック図である。アンテナ１は、放送を受信し無線周波数(Radio Frequency、以下、ＲＦという。)信号として検波・復調回路２に入力する。検波・復調回路２は、ＲＦ信号を中間周波数(Intermediate Frequency、以下、ＩＦという。)信号に変換して検波し復調したオーディオ信号をミューティング回路３に入力する。検波・復調回路２の受信周波数は、マイコン６によって制御される。ミューティング回路３は、通常はオーディオ信号をそのままアンプ４に入力する。また、ミューティング回路３は、マイコン６の制御によって、オーディオ信号を減衰する、又はオーディオ信号の出力を停止する。アンプ４は、オーディオ信号を増幅してスピーカ５に入力する。スピーカ５は、オーディオ信号を音に変換して出力する。
【００１２】
マイコン６は、検波・復調回路２、ミューティング回路３、スイッチング電源８、負荷抵抗切替回路９を制御する。入力スイッチ７は、オートチューニング開始の操作入力を行う。スイッチング電源８は、放送受信装置各部に電力を供給する。負荷抵抗切替回路９は、スイッチング電源８に接続され、マイコン６の制御によって、スイッチング電源８の負荷抵抗値を切り替える。スイッチング電源８の負荷抵抗値を切り替えることによって、スイッチング周波数が変更される。例えば、スイッチング周波数が200kHz、負荷抵抗値が280Ωである場合、負荷抵抗値を175Ωに変更することによって、スイッチング周波数は180kHzに変更される。
【００１３】
図２は、本発明の放送受信装置の一実施例のオートチューニング動作を示すフローチャートである。オートチューニングを開始するための入力スイッチ７の操作入力があると、マイコン６は、オートチューニング動作を開始する(Ｓ１)。マイコン６は、ミューティング回路３を制御して検波・復調回路２から出力されるオーディオ信号を減衰、又はその出力を停止させ(Ｓ２)、オートチューニング中の雑音の出力を抑制する。マイコン６は、負荷抵抗切替回路９を制御して負荷抵抗を切り替え、スイッチング電源８のスイッチング周波数の変更処理を開始する(Ｓ３)。
【００１４】
マイコン６は、検波・復調回路２を制御して受信周波数を、放送の周波数間隔毎に変更する(Ｓ４)。放送の周波数間隔は、例えば、日本国内のラジオ放送において、ＡＭ放送であれば9kHzであり、ＦＭ放送であれば100kHzである。検波・復調回路２が受信した放送の電圧レベルがマイコン６内の図示しないメモリに記憶され予め定められた電圧レベル以上であるとき(Ｓ５でＹＥＳ)、検波・復調回路２はＩＦを検出する(Ｓ６)。検出したＩＦが、マイコン６内のメモリに記憶された予め定められた誤差の範囲内であれば(Ｓ７でＹＥＳ)、マイコン６は、その受信した放送の周波数を受信可能な周波数としてマイコン６内のメモリに記憶し(Ｓ８)、スイッチング周波数を既定値に戻し(Ｓ９)、ミューティング回路３のミューティングを解除して(Ｓ１０)、オーディオ信号がスピーカ５から出力される。
【００１５】
なお、Ｓ３におけるスイッチング周波数の変更処理は、１回の変更量がマイコン６内のメモリに記憶された予め定められた誤差以上となるように行われる。例えば、ここで、ラジオのＡＭ放送を受信する場合、ＩＦ＝450kHzに対して、予め定められる誤差は1kHzとされ、スイッチング周波数の１回の変更量は1kHz以上となるように行われる。また、Ｓ3におけるスイッチング周波数の変更処理は、マイコン６が受信した放送の周波数を受信可能な周波数であるか否かを判別するために使用する時間長よりも短い時間間隔で行われる。ここで、マイコン６が受信した放送の周波数を受信可能な周波数であるか否かを判別するために使用する時間長は、ＩＦ検出時間であり、例えば64msecである。Ｓ３におけるスイッチング周波数の変更処理を、64msec未満で行うことによって、受信周波数とスイッチング周波数が一致した場合であっても、ＩＦ検出時間64msecが経過するまでにスイッチング周波数が変更されるので、受信可能な放送の誤検出を回避することができる。
【００１６】
Ｓ５において、検波・復調回路２が受信した放送の電圧レベルがマイコン６内のメモリに記憶された予め定められた電圧レベル未満であるとき(Ｓ５でＮＯ)、又は、Ｓ７において、検出したＩＦが、マイコン６内のメモリに記憶された予め定められた誤差の範囲外であるとき(Ｓ７でＮＯ)、マイコン６は、その受信周波数を放送のない周波数として、Ｓ４に戻って、次の受信周波数に変更して、Ｓ４以後の処理を行う。
【００１７】
オートチューニング動作を続行する場合(Ｓ１１でＮＯ)、Ｓ２のミューティング処理に戻って、Ｓ２以後の処理を行う。放送の受信周波数範囲をオートチューニングし終わったり、入力スイッチ７からオートチューニング終了の操作入力があったりした場合、オートチューニング動作を終了する(Ｓ１１でＹＥＳ)。
【００１８】
本実施例では、スイッチング電源の負荷抵抗値を切り替えることによってスイッチング周波数を変更したが、放送受信装置内に、オートチューニング動作中に動作させる必要のない回路がある場合、当該回路へのスイッチング電源からの電力の供給の接続と切断を切り替えることによって、スイッチング周波数を変更することもできる。
【図面の簡単な説明】
【００１９】
【図１】本発明の放送受信装置の一実施例の構成を示すブロック図である。
【図２】本発明の放送受信装置の一実施例のオートチューニング動作を示すフローチャートである。
【符号の説明】
【００２０】
１  アンテナ
２  検波・復調回路
３  ミューティング回路
４  アンプ
５  スピーカ
６  マイコン
７  入力スイッチ
８  スイッチング電源
９  負荷抵抗切替回路
【図１】
2005217772.tif 000003
【図２】
2005217772.tif 000004